【手続補正書】
【提出日】平成22年8月3日(2010.8.3)
【手続補正１】
【補正対象書類名】特許請求の範囲
【補正対象項目名】全文
【補正方法】変更
【補正の内容】
【特許請求の範囲】
【請求項１】
給送するために被記録材が積重される被記録材載置面部と、
前記被記録材載置面部に前記被記録材の幅方向又は送り方向にスライド可能に取り付けられる本体スライド部と、給送の際に該被記録材の辺に接触するガイド面を有する本体操作部とを有する可動エッジガイドと、
前記可動エッジガイドのスライド方向における位置を固定する固定手段と、を備えた被記録材給送装置であって、
前記固定手段は、前記被記録材載置面部の表面に前記可動エッジガイドのスライド方向に沿って設けられたノッチ列と、前記可動エッジガイドに設けられ前記ノッチ列のノッチに係止して前記固定状態を実現する係止突起と、を備え、
前記ノッチ列は、３列から成り、各ノッチ列はノッチのピッチが同じに形成され、前記係止突起は、前記各ノッチ列毎に個別に設けられていると共に、
外側の２列の前記ノッチ列は同じ位相に形成され、内側の前記ノッチ列は前記外側のノッチ列と位相がずれて設けられており、
前記各係止突起は前記スライド方向における位置が同じであることを特徴とする被記録材給送装置。
【請求項２】
給送するために被記録材が積重される被記録材載置面部と、
前記被記録材載置面部に前記被記録材の幅方向又は送り方向にスライド可能に取り付けられる本体スライド部と、給送の際に該被記録材の辺に接触するガイド面を有する本体操作部とを有する可動エッジガイドと、
前記可動エッジガイドのスライド方向における位置を固定する固定手段と、を備えた被記録材給送装置であって、
前記固定手段は、前記被記録材載置面部の表面に前記可動エッジガイドのスライド方向に沿って設けられたノッチ列と、前記可動エッジガイドに設けられ前記ノッチ列のノッチに係止して前記固定状態を実現する係止突起と、を備え、
前記ノッチ列は、３列から成り、各ノッチ列はノッチのピッチが同じに形成され、前記係止突起は、前記各ノッチ列毎に個別に設けられていると共に、
前記各ノッチ列は全て位相が同じで、
外側の２個の前記係止突起は前記スライド方向における位置が同じで、内側の前記係止突起は前記外側の係止突起と位置がずれていることを特徴とする被記録材給送装置。
【請求項３】
請求項１または２に記載の被記録材給送装置において、前記外側のノッチ列の幅は同じ長さに構成され、前記内側のノッチ列の幅は前記外側のノッチ列の幅の２倍の長さであることを特徴とする被記録材給送装置。
【請求項４】
請求項１から３のいずれか１項に記載の被記録材給送装置において、各ノッチ列の位相がずれている部分は、前記可動エッジガイドの移動領域の全長に亘るノッチ列を基本列として、該基本列の一部の領域に設けられていることを特徴とする被記録材給送装置。
【請求項５】
請求項１から４のいずれか１項に記載の被記録材給送装置において、前記可動エッジガイドの前記係止突起は、前記本体スライド部の板状部にスリットを設けることによって分割された分割弾性片の自由端側にそれぞれ設けられ、更に前記可動エッジガイドは、前記係止突起が前記ノッチに係止している係止状態と前記ノッチから離脱している離脱状態とを、前記分割弾性片を撓ませる力を作用させて切り換える係脱手段を備えていることを特徴とする被記録材給送装置。
【請求項６】
請求項５に記載の被記録材給送装置において、前記の各分割弾性片は、前記各係止突起を前記各ノッチに押し付ける付勢力が同じであり、前記の各係止突起は、該係止突起の幅が同じ長さであることを特徴とする被記録材給送装置。
【請求項７】
請求項５に記載の被記録材給送装置において、前記の各分割弾性片は、一部の係止突起がノッチに係止し他の係止突起はノッチに係止できない一つの位置固定状態と、一部の係止突起がノッチに係止できず他の係止突起はノッチに係止した他の位置固定状態との両位置固定状態において、ノッチに係止した係止突起の係止量が同じになるように、当該分割弾性片の弾性力が設定されていることを特徴とする被記録材給送装置。
【請求項８】
請求項６に記載の被記録材給送装置において、前記可動エッジガイドの前記係止突起は、ノッチに少数で係止する方の係止突起の突出寸法がノッチに多数で係止する方の係止突起より長く形成されていることを特徴とする被記録材給送装置。
【請求項９】
請求項６に記載の被記録材給送装置において、前記ノッチ列は奇数列であり、前記可動エッジガイドの前記係止突起は、前記奇数列のノッチ列のうちの中央に位置する中央ノッチ列に対応する中央係止突起の突出寸法が他の係止突起より長く形成されていることを特徴とする被記録材給送装置。
【請求項１０】
請求項５から９のいずれか１項に記載の被記録材給送装置において、前記係脱手段は、前記本体操作部に設けられた揺動つまみと、該揺動つまみに設けられたフック部と、前記分割弾性片に設けられて前記フック部に係止される被フック部とを備え、前記揺動つまみを揺動させると前記フック部が前記被フック部に係止し、前記分割弾性片を撓ませる力が作用して前記離脱状態を実現するように構成されていることを特徴とする被記録材給送装置。
【請求項１１】
請求項５から１０いずれか１項に記載の被記録材給送装置において、前記本体スライド部の前記板状部の外表面は、前記被記録材が載置される被記録材載置面としての機能を果たすように構成され、当該本体スライド部の前記スリットのうち最下流側に位置するスリットの下流側に、前記被記録材が搬送方向の逆方向に戻された際に該被記録材の逆方向進行時の進行方向先端となる終端辺部を前記板状部の外表面から遠ざかる方向に誘導する誘導隆起部が設けられていることを特徴とする被記録材給送装置。
【請求項１２】
請求項１１記載の被記録材給送装置において、他のスリットの下流側にも他の誘導隆起部が設けられていることを特徴とする被記録材給送装置。
【請求項１３】
請求項５から１２のいずれか１項に記載の被記録材給送装置において、前記スリットは前記スライド方向に対して傾斜して設けられていることを特徴とする被記録材給送装置。
【請求項１４】
請求項１３に記載の被記録材給送装置において、前記スリットの傾斜は、前記分割弾性片の自由端側が基端側より被記録材の搬送方向における上流側に位置する向きに形成されていることを特徴とする被記録材給送装置。
【請求項１５】
被記録材給送装置と、該被記録材給送装置から給送される被記録材に記録を実行する記録実行部と、を備えた記録装置であって、前記被記録材給送装置は請求項１から１４のいずれか１項に記載の被記録材給送装置であることを特徴とする記録装置。
【請求項１６】
被噴射材給送装置と、該被噴射材給送装置から給送される被噴射材に液体噴射を実行する液体噴射実行部と、を備えた液体噴射装置であって、
前記被噴射材給送装置は、給送するために被噴射材が積重される被噴射材載置面部と、
前記被噴射材載置面部に前記被噴射材の幅方向にスライド可能に取り付けられる本体スライド部と、該被噴射材の側辺に接触して給送をガイドするガイド面を有する本体操作部とを有する可動エッジガイドと、
前記可動エッジガイドのスライド方向における位置を固定する固定手段と、を備えた被噴射材給送装置であって、
前記固定手段は、前記被噴射材載置面部の表面に前記可動エッジガイドのスライド方向に沿って設けられたノッチ列と、前記可動エッジガイドに設けられ前記ノッチ列のノッチに係止して前記固定状態を実現する係止突起と、を備え、
前記ノッチ列は、３列から成り、各ノッチ列はノッチのピッチが同じに形成され、前記係止突起は、前記各ノッチ列毎に個別に設けられていると共に、
外側の２列の前記ノッチ列は同じ位相に形成され、内側の前記ノッチ列は前記外側のノッチ列と位相がずれて設けられており、
前記各係止突起は前記スライド方向における位置が同じであることを特徴とする液体噴射装置。